(57)【要約】【課題】  電源電圧を上げない有機発光素子アレイを提供することを目的とする。【解決手段】  異なる色を発光する有機発光素子全てを対象にホスト材料と正孔輸送層のそれぞれのイオン化ポテンシャルの差と、ホスト材料と電子輸送層のそれぞれの電子親和力の差を好ましい範囲に設定する。【選択図】  図１
2007266160.tif 000002
【特許請求の範囲】
【請求項１】
有機発光層と前記有機発光層を間に配置する一対の電極とを有する有機発光素子と、前記有機発光素子の発光非発光を制御するトランジスタとを有し、
前記有機発光素子と前記トランジスタを赤及び緑及び青を発光するために各色毎に有する有機発光素子アレイにおいて、
前記有機発光層に接する正孔輸送層と、
前記有機発光層に接する電子輸送層と、を有し、
前記有機発光層はホスト材料とゲスト材料を有し、
前記正孔輸送層のイオン化ポテンシャルと全ての有機発光素子の前記有機発光層のホスト材料のイオン化ポテンシャルの差が０．２ｅＶ以下であり、
前記電子輸送層の電子親和力と全ての有機発光素子の前記有機発光層のホスト材料の電子親和力の差が０．２ｅＶ以下であることを特徴とする有機発光素子アレイ。
【請求項２】
前記正孔輸送層の電子親和力の絶対値と全ての有機発光素子の前記有機発光層のホスト材料の電子親和力の絶対値とは、
（全ての有機発光素子の前記有機発光層のホスト材料の電子親和力の絶対値）−（前記正孔輸送層の電子親和力の絶対値）≧０．２ｅＶ
であることを特徴とする請求項１に記載の有機発光素子アレイ。
【請求項３】
前記電子輸送層のイオン化ポテンシャルの絶対値と全ての有機発光素子の前記有機発光層のホスト材料のイオン化ポテンシャルの絶対値とは、
（前記電子輸送層のイオン化ポテンシャルの絶対値）−（全ての有機発光素子の前記有機発光層のホスト材料のイオン化ポテンシャルの絶対値）≧０．２ｅＶ
であることを特徴とする請求項１に記載の有機発光素子アレイ。
【発明の詳細な説明】
【技術分野】
【０００１】
本発明は有機ＥＬ（有機エレクトロルミネッセンス）素子を各色発光ごとに有する有機発光素子アレイに関する。より具体的にはフルカラー表示可能な表示装置等に用いられる有機発光素子アレイに関する。
【背景技術】
【０００２】
有機ＥＬ素子の研究が盛んである。そしてその発光非発光の制御にアクティブマトリクス駆動が用いられている。特許文献１には電源電極、有機ＥＬ素子、有機ＥＬ素子の発光非発光を制御するＴＦＴが記載されている。
【特許文献１】特開平８−５４８３６号公報
【発明の開示】
【発明が解決しようとする課題】
【０００３】
特許文献１は電流制御型発光素子に印加する電圧を低下し、低消費電力化を図ることを目的としている。そしてこれまでの課題はこのように発光素子に印加する電圧を低下させることで低消費電力化をはかるものであった。一方で本発明者は電源の電圧を上げないことに注目した。電源の電圧を上げない（高く設定しない）ということも低消費電力化を図るという意味で重要である。
【０００４】
そこで本発明者は鋭意検討した。その際次のことに気が付いた。即ち電源の電圧を上げない（高く設定しない）ためには、各色の発光素子の駆動電圧を出来るだけ同じ電圧にそろえることが重要である。
【０００５】
本発明は各色の発光素子の駆動電圧が出来るだけ同じ電圧にそろった有機発光素子アレイを提供することを目的とする。
【課題を解決するための手段】
【０００６】
よって本発明は、
有機発光層と前記有機発光層を間に配置する一対の電極とを有する有機発光素子と、前記有機発光素子の発光非発光を制御するトランジスタとを有し、
前記有機発光素子と前記トランジスタを赤及び緑及び青を発光するために各色毎に有する有機発光素子アレイにおいて、
前記有機発光層に接する正孔輸送層と、
前記有機発光層に接する電子輸送層と、を有し、
前記有機発光層はホスト材料とゲスト材料を有し、
前記正孔輸送層のイオン化ポテンシャルと全ての有機発光素子の前記有機発光層のホスト材料のイオン化ポテンシャルの差が０．２ｅＶ以下であり、
前記電子輸送層の電子親和力と全ての有機発光素子の前記有機発光層のホスト材料の電子親和力の差が０．２ｅＶ以下であることを特徴とする有機発光素子アレイを提供する。
【発明の効果】
【０００７】
本発明の有機発光素子アレイは、各色の発光素子の駆動電圧を出来るだけ同じ電圧にそろえることが出来るので（各素子間の電位差は１Ｖ以内）、電源電圧を高く設定する必要が無くなる。
【発明を実施するための最良の形態】
【０００８】
本発明に係る有機発光素子アレイは、ＲＧＢ（赤緑青）それぞれ発光する素子と、それぞれの発光素子の発光非発光を制御するためのトランジスタとを有している。また陽極および陰極の間に配置される有機発光層はホスト材料とゲスト材料とから少なくとも構成されている。また前記正孔輸送層のイオン化ポテンシャルと全ての有機発光素子の前記有機発光層のホスト材料のイオン化ポテンシャルの差が０．２ｅＶ以下である。
【０００９】
そして前記電子輸送層の電子親和力と全ての有機発光素子の前記有機発光層のホスト材料の電子親和力の差が０．２ｅＶ以下である。本実施形態に係る有機発光素子アレイはこのような構成を特徴とする有機発光素子アレイである。
【００１０】
これによれば電源電圧を高く設定する必要が無くなる。その結果特に小型である携帯用表示装置の表示部として有機発光素子アレイを利用することも出来る。
【００１１】
図１は本実施形態に係る有機発光素子アレイの有機発光素子におけるエネルギーダイアグラムを示す図である。有機発光層のホスト材料のイオン化ポテンシャルの差と有機発光層のホスト材料の電子親和力の差をそれぞれ図中に矢印で示した。
【００１２】
有機発光素子から発光される互いに異なる色の光は、それぞれ有機発光素子とトランジスタ（例えばＴＦＴ）とから構成される最小単位から発する。
【００１３】
この最小単位における電位は、電源電位（Ｖｃｃ）と接地電位（ＣＧＮＤ）の差でその値が決められる。
【００１４】
また電源電位の値は、全素子において対向する一対の電極のうち一方の電極（例えば上部電極）が共通である場合同じ値である。
【００１５】
また各最小単位のそれぞれが有するトランジスタは、有機発光素子アレイを作成するにあたり同一面内に同一の特性となるように作成されている。即ち発光色の違いによって特性は異なることが無いように作成されている。
【００１６】
つまり発光色毎に設けられる最小単位のそれぞれにおいて、電源電位は同じ電位であり、また接地電位も同じ電位であり、そしてトランジスタの特性は同一である。
【００１７】
そして本実施形態に係る有機発光素子アレイにおいて、発光色毎に設けられている有機発光素子の駆動電位が互いに１Ｖ以内でそろえている。
【００１８】
これまでの有機発光素子アレイは、発光色毎に設けられる最小単位のそれぞれにおいて、電源電位は同じ電位であり、また接地電位も同じ電位であり、そしてトランジスタの特性は同一であっても発光色毎に駆動電位が１Ｖ以上異なっていた。
【００１９】
その場合一番駆動電位が高い素子を基準にトランジスタの特性を決める必要がある。より具体的に説明する。
【００２０】
最小単位におけるトランジスタのソースドレイン電位をＶｓｄとし、有機発光素子の駆動電位をＶｆとすると、次の式が成り立つ。
Ｖｃｃ−ＣＧＮＤ＝Ｖｆ＋Ｖｓｄ＝ｃｏｎｓｔ．
有機発光素子の駆動電位Ｖｆが高い場合Ｖｓｄは低くなる。その場合Ｖｓｄが低くなりすぎるとトランジスタのＶ−Ｉ特性から所望の電流をトランジスタが流すことが出来なくなる。
このことの一例としてアーリー効果がある。
所望の電流を流すため、駆動電位Ｖｆが高い場合Ｖｃｃの値を高く設定する必要がある。
【００２１】
つまり全素子においてＶｃｃの値が共通の値に設定されている場合、Ｖｃｃは駆動電圧の高い発光色を発する素子を基準に設定されることになる。
即ち駆動電圧が低い発光色を発する素子においてもＶｃｃの値は高く設定されることになる。
【００２２】
本発明者はこのことに気付き、そして各色発光のそれぞれの有機発光素子の駆動電圧を出来るだけ互いに近い電圧とすることによって必要以上に高い電源電位を設定しなくて済むことに気付いた。
そして互いの有機発光素子の駆動電圧の差が１Ｖ以内とすることが好ましいことを見出した。
【００２３】
なお各素子の駆動電圧の差が重要であり、駆動電圧の値は如何様な値でもよい。また駆動電圧の値の上限は７Ｖ以下さらに好ましくは４Ｖ以下であることが消費電力低減という点で更に好ましい。駆動電圧の値の下限は２Ｖ以上である。
【００２４】
また互いの有機発光素子の駆動電圧の差を出来るだけ小さくするために本発明者はホスト材料とゲスト材料から少なくとも構成される有機発光層に着目した。そして各色発光素子のホスト材料と正孔輸送層と電子輸送層とに注目し、ホスト材料と正孔輸送層とはイオン化ポテンシャルに注目し、ホスト材料と電子輸送層とは電子親和力に注目した。
【００２５】
ホスト材料とは、発光層を構成する成分のうち、ピーク波長をともなう発光をしない材料のことであり発光層の主成分となる材料のことである。
主成分とは重量比やモル比等から相対的に高い比率で発光層を構成する成分のことである。
【００２６】
正孔輸送層とは、発光層と隣接して配置される有機化合物層のうち陽極側に配置されている有機化合物層のことである。正孔輸送層のイオン化ポテンシャルや電子親和力は、正孔輸送層を構成する主成分のイオン化ポテンシャルや電子親和力のことである。
【００２７】
電子輸送層とは、発光層と隣接して配置される有機化合物層のうち陰極側に配置されている有機化合物層のことである。電子輸送層のイオン化ポテンシャルや電子親和力は、電子輸送層を構成する主成分のイオン化ポテンシャルや電子親和力のことである。
【００２８】
本発明において正孔輸送層のイオン化ポテンシャルと全ての有機発光素子の有機発光層のホスト材料のイオン化ポテンシャルの差を求める。
【００２９】
その場合正孔輸送層は全ての有機発光素子において同一の材料であってもよいしあるいはそれぞれ異なる材料であってもよい。
【００３０】
本発明において電子輸送層の電子親和力と全ての有機発光素子の有機発光層のホスト材料の電子親和力の差を求める。
【００３１】
その場合電子輸送層は全ての有機発光素子において同一の材料であってもよいしあるいはそれぞれ異なる材料であってもよい。
【００３２】
正孔輸送層および電子輸送層の少なくとも何れか一方は、互いに異なる色を発光する有機発光素子において連続して配置されていてもよい。つまり同一の材料が連続して配置されていてもよい。同一の材料が連続して配置されていると簡便に製造することが出来るので好ましい。
【００３３】
正孔輸送層は電子及びまたはエキシトンをブロッキングする機能を更に有していることが好ましい。この場合も各色発光するそれぞれの有機発光素子において、次の関係が成り立つことが好ましい。
（全ての有機発光素子の前記有機発光層のホスト材料の電子親和力の絶対値）−（前記正孔輸送層の電子親和力の絶対値）≧０．２ｅＶ
電子輸送層はホール及びまたはエキシトンをブロッキングする機能を更に有していることが好ましい。この場合も各色発光するそれぞれの有機発光素子において、次の関係が成り立つことが好ましい。
（全ての有機発光素子の前記有機発光層のホスト材料のイオン化ポテンシャルの絶対値）−（前記電子輸送層のイオン化ポテンシャルの絶対値）≧０．２ｅＶ
本発明で規定しているイオン化ポテンシャルとは、化合物のＨＯＭＯ（最高被占分子軌道）レベルにある電子を真空準位に放出するのに必要なエネルギーで定義される。一方、電子親和力は、真空準位にある電子が物質のＬＵＭＯ（最低空分子軌道）レベルに落ちて安定化するエネルギーで定義される。
【００３４】
イオン化ポテンシャルは、ＵＰＳ（紫外光電子分光法）や低エネルギー電子分光装置（測定器名ＡＣ−１、ＡＣ−２、ＡＣ−３  理研機器製等）で直接測定することが出来る。また、サイクリックボルタンメトリ法による酸化電位の測定などからも求めることができる。
【００３５】
なお本実施形態では、イオン化ポテンシャルの値を理研機器製ＡＣ−１により測定した値とした。
【００３６】
電子親和力は、下記式で定義される。
（電子親和力）＝（イオン化ポテンシャル）−（バンドギャップ）
バンドギャップの測定は、例えば、有機化合物をガラス上に５０ｎｍ程度の厚みに蒸着し、この蒸着膜の吸収スペクトルを測定し、その吸収端の波長Ｙ（ｎｍ）をＸ（ｅＶ）に換算して求められる。
換算式はＸ＝１２３９．８／Ｙで求められる。
【００３７】
なお、電子親和力はサイクリックボルタンメントリ法による還元電位の測定からも求めることが出来る。
【００３８】
本実施形態では、光吸収によるバンドギャップ測定値と上記イオン化ポテンシャルから算出する方法を採用した。吸収スペクトルの測定には、分光光度計Ｕ−３０１０（日立分光製）を用いた。
【００３９】
本発明の有機発光素子アレイが有する複数の有機発光素子は同一面に２次元的に配置されていることが好ましい。各色発光色が異なる有機発光素子の配置順番は適宜設定されればよい。フルカラー表示が可能な有機発光素子アレイを提供する場合、各色発光色が異なる有機発光素子とは赤緑青の発光色毎にそれぞれ有機発光素子を設ければよい。例えば赤緑青の発光色毎にそれぞれ有機発光素子を設けそれを一組として画素を構成してもよい。
【００４０】
本発明の有機発光素子アレイが有するトランジスタは薄膜トランジスタ（ＴＦＴ）であることが好ましい。
【００４１】
本発明の有機発光素子アレイが有するトランジスタのゲート電圧の値は、各色の有機発光素子毎に異ならせてもよいし同じにしてもよいが同じに設定することが好ましい。ゲート電圧の値が各色の有機発光素子に共通して設定されていることは、デューティー駆動によって階調表示させる有機発光素子パネルにおいて好ましく用いられる。
【００４２】
本発明の有機発光素子アレイが有する有機発光素子の駆動電位は、例えば異なる色を発する有機発光素子により得られる白発光を基準にそれぞれの有機発光素子の発光輝度を設定し、その発光輝度を得るための駆動電圧として設定されればよい。その場合の白発光とは例えばＣＩＥ色度座標  ｘ＝０．３３±０．０３、ｙ＝０．３３±０．０３の範囲で定める白色である。
【００４３】
本発明の有機発光素子アレイが有する有機発光素子は一対の電極を有しているが少なくとも一方が光取り出し用電極であり透明であることが好ましい。
【００４４】
本発明の有機発光素子アレイは、ＰＣやテレビ等のディスプレイの表示部として好ましく用いることが出来る。あるいは電子写真方式の画像形成装置やインクジェットプリンターの表示部にも用いることが出来る。また撮像手段を有するデジタルスチルカメラやデジタルビデオカメラ等の撮像装置の表示部にも好ましく用いることが出来る。
【００４５】
本発明の有機発光素子アレイが有する有機発光素子は、その層構成を発光色毎に個別に適宜設定してもよい。例えば電子注入層や正孔注入層を設けてもよい。
【００４６】
本発明の有機発光素子アレイが有する有機発光素子は、基材に配置される場合基材側から光を取り出す形態でもよいしあるいは基材側と反対側から光を取り出す形態でもよい。
【００４７】
本発明の有機発光素子アレイは赤色発光素子、緑色発光素子、そして青色発光素子を少なくとも有するがそれ以外に白色発光素子を更に有してもよい。
【実施例】
【００４８】
以下、実施例により本発明をさらに具体的に説明していくが、本発明はこれらに限定されるものではない。
【００４９】
図２はアクティブマトリクス方式の表示装置の駆動手段を示す模式図である。パネル内周辺には、走査信号ドライバーや電流供給源からなる駆動回路と、情報信号ドライバーである表示信号入力手段（これらを画像情報供給手段と呼ぶ）が配置されている。そしてそれぞれはゲート線とよばれるＸ方向走査線、情報線と呼ばれるＹ方向配線、及び電流供給線に接続される。走査信号ドライバーは、ゲート走査線を順次選択し、これに同期して情報信号ドライバーから画像信号が印加される。ゲート走査線と情報線の交点には表示用画素が配置される。
【００５０】
図３はＴＦＴを用いたアクティブ駆動型有機発光素子の一例を示す断面模式図である。ガラス基板上にポリシリコンｐ−Ｓｉ層が設けられ、チャネル、ドレイン、ソース領域にはそれぞれ必要な不純物が選択され、ドープされる。この上にゲート絶縁膜を介してゲート電極が設けられると共に、上記ドレイン領域、ソース領域に接続するドレイン電極、ソース電極が形成されている。この時ドレイン電極と画素電極は、介在する絶縁膜に開けたコンタクトホールにより接続される。
【００５１】
上記画素電極上に有機発光層を形成し、陰極を順次積層し、アクティブ型有機発光表示素子を得ることができる。本実施例では、画素電極をアノードとしてＣｒ、さらに６０ｎｍのＩＺＯ（酸化亜鉛と酸化インジウムの化合物）からなる透明電極をスパッタにより堆積した。これらのＣｒ層およびＩＺＯをパターニングしアノードとした。Ｃｒ／ＩＺＯアノードの画素サイズは６０μｍ×９０μｍ、画素間部は４０μｍで１００×１００ドットの表示装置とした。
【００５２】
＜実施例１＞
上記構成のアノードを備えたＴＦＴ基板を用意し、アノード上に、正孔輸送材料として下記構造式で示される化合物１を用いて真空蒸着法にて成膜を行った。蒸着時の真空度は５．０×１０−５Ｐａ、成膜速度は０．１〜０．２ｎｍ／ｓｅｃの条件で成膜した。形成されたホール輸送層の厚みは２０ｎｍであった。
【００５３】
【化１】
2007266160.tif 000003
【００５４】
（赤発光層の作製）
まず、２次元方向に多数配置された画素のうち、赤色発光部にのみ開口部を有する蒸着マスクを入れた。
【００５５】
下記構造式で示される化合物２をホストとして用いて下記構造式で示される化合物３とを共蒸着（重量比９３：７）して、厚み２５ｎｍの発光層を設けた。
【００５６】
【化２】
2007266160.tif 000004
【００５７】
【化３】
2007266160.tif 000005
【００５８】
（緑発光層の作製）
多数配置された画素のうち緑色発光部にのみ開口部を有する蒸着マスクを入れた。
次に、発光層のホストとして下記に示す化合物４と、下記に示す発光性化合物５を共蒸着（重量比９０：１０）して２５ｎｍの発光層を設けた。
【００５９】
【化４】
2007266160.tif 000006
【００６０】
【化５】
2007266160.tif 000007
【００６１】
（青発光層の作製）
多数配置された画素のうち青色発光部にのみ開口部を有する蒸着マスクを入れた。
次に、発光層のホストとして下記示す化合物６と、下記に示す発光性化合物７を共蒸着（重量比９０：１０）して２５ｎｍの発光層３を設けた。
【００６２】
【化６】
2007266160.tif 000008
【００６３】
【化７】
2007266160.tif 000009
【００６４】
（電子輸送層・電子注入層の作製）
まず、蒸着マスクを取り外して、画素部全面に蒸着できるようにした。
電子輸送層として下記に示す化合物８を蒸着して１０ｎｍの電子輸送層を設けた。
【００６５】
【化８】
2007266160.tif 000010
【００６６】
次に、アルカリディスペンサに封入された金属セシウムと上記化合物８を共蒸着（重量比９０：１０）して４０ｎｍの電子注入層を設けた。
【００６７】
（陰極の作製）
有機化合物層まで成膜した基板を、ＤＣスパッタ装置（大阪真空製）へ移動させ、前記有機化合物層上にインジウム錫酸化物（ＩＴＯ）をスパッタ法にて２０００Å成膜し、透明な発光取り出し陰極電極を得た。スパッタガスとしてアルゴンと酸素の混合ガス（体積比でアルゴン：酸素＝２００：１）を用い、圧力を０．３Ｐａ、ＤＣ出力を４０Ｗとした。以上のようにして、ＴＦＴを有するＲＧＢの有機ＥＬ素子を得た。
【００６８】
素子作製後、露点−９０℃以下のグローブボックス内において、ＵＶ硬化樹脂で本素子とガラス基板を貼り合わせて封止した。
【００６９】
このようにして、ＴＦＴ基板上に、ホール注入層、ホール輸送層、発光層、電子輸送層、有機化合物層および透明陰極電極を設けたトップエミッション型ＲＧＢフルカラー有機ＥＬパネルを得た。
【００７０】
このフルカラーディスプレイのＲＧＢを点灯させて白色光を点灯させた。
白色は、Ｒ：Ｇ：Ｂ＝３：６：１の輝度の時に得られ、ＣＩＥ色度座標の値は、ｘ＝０．３０，ｙ＝０．３２であった。
赤色発光は、発光輝度３００ｃｄ／ｍ２の時、６２０ｎｍに発光最大波長をもつ発光が観測され、このときの素子への印加電圧は３．６Ｖであった。
緑色発光は、発光輝度６００ｃｄ／ｍ２の時、５２０ｎｍに発光最大波長をもつ発光が観測され、このときの素子への印加電圧は３．４Ｖであった。
青色発光は、発光輝度１００ｃｄ／ｍ２の時、４６０ｎｍに発光最大波長をもつ発光が観測され、このときの素子への印加電圧は３．２Ｖであった。
【００７１】
このときのＲＧＢ各素子の特性と、発光層／ホール輸送層および発光層／電子輸送層のイオン化ポテンシャルおよび電子親和力のエネルギーのギャップ値を表１に示した。
【００７２】
以上のように本実施例の素子はＲＧＢともに４Ｖ以下の低電圧で駆動することができた。また、白色を発光させた時のＲＧＢ各素子の駆動電圧のばらつきも０．４Ｖと１Ｖ以内に収まっていた。
【００７３】
これらのＲＧＢの画素を上記の初期輝度で定電流駆動して輝度半減時間を測定したところ、全ての色で１００００時間以上であった。本実施例で用いた材料は全て１３０℃以上のガラス転移温度を有しているため、耐熱性が高く、車内での長期使用にも耐え得るものであった。
【００７４】
【表１】
2007266160.tif 000011
【００７５】
＜実施例２＞
実施例１で用いたＴＦＴ基板の上に、下記構造式で示される化合物９を用い実施例１と同様にしてホール輸送層を成膜した。形成されたホール輸送層の厚みは２０ｎｍであった。
【００７６】
【化９】
2007266160.tif 000012
赤発光層、緑発光層は実施例１と同様にして作製した。
【００７７】
（青発光層の作製）
青用のマスクを入れた後、実施例１で使用した化合物２を青のホストとして用いた。実施例１で用いた発光性化合物７をドーパントとして共蒸着（重量比９０：１０）して２５ｎｍの発光層を設けた。
【００７８】
（電子輸送層・電子注入層の作製）
実施例１と同様、蒸着マスクを取り外して、画素部全面に蒸着できるようにしたのち、下記構造式で示される化合物１０を蒸着して１０ｎｍの電子輸送層を設けた。
【００７９】
【化１０】
2007266160.tif 000013
【００８０】
更に、電子注入層としてアルカリディスペンサに封入された金属セシウムと上記化合物１１を共蒸着（重量比９０：１０）して４０ｎｍの電子注入層を設けた。
【００８１】
以下、実施例１と同様に陰極を設け、封止を行い、電子輸送層がＲＧＢで共通の有機ＥＬディスプレイを得た。得られた素子の特性と各バンドギャップの値を表２に示す
発光層／ホール輸送層のイオン化ポテンシャルの差、および、発光層／電子輸送層の電子親和力の差が共に０．１ｅＶ以内に収まっており、発光層へのキャリア注入が非常にスムーズであった。
【００８２】
また、ホール輸送層の電子親和力が発光層の電子親和力よりも０．２ｅＶ以上浅いため発光層に注入された電子がホール輸送層まで漏れることなく発光層内で効率よく再結合し、高い発光効率を示していた。
【００８３】
一方、発光層のイオン化ポテンシャルが電子輸送層のイオン化ポテンシャルよりも０．２ｅＶ以上深いため、発光層に注入されたホールが電子輸送層に漏れることなく発光層内で効率よく再結合し、高い発光効率を示していた。
【００８４】
以上の結果から、同じ輝度で発光させたときの素子に掛かる駆動電圧も実施例１と比較して更に低下しており、ＴＦＴの電源のパワーを抑えることができた。ＲＧＢ間の電圧差も０．１Ｖに減少したため、ＴＦＴ駆動時の輝度ばらつきも極めて少なくなった。なお、ＲＧＢを表２の輝度で発光させた時のＣＩＥ色度座標の値は、ｘ＝０．３１、ｙ＝０．３４の良好な白色であった。
【００８５】
【表２】
2007266160.tif 000014
【００８６】
＜比較例１＞
実施例１で用いたホール輸送材の代わりに下記構造式で示される化合物１１を用いた以外は実施例１と同様の有機ＥＬパネルを作成した。
【００８７】
【化１１】
2007266160.tif 000015
【００８８】
得られた素子の特性と各バンドギャップの値を表３に示す。ホール輸送層と発光層のイオン化ポテンシャルのギャップが大きくなった結果、ホールの注入性が低下して高電圧化し、ＲＧＢの電圧ばらつきが大きくなってしまった（最大１．１Ｖ）。
【００８９】
【表３】
2007266160.tif 000016
【００９０】
＜比較例２＞
実施例１で用いた電子輸送材の代わりに下記構造式で示される化合物１２を用いた以外は実施例１と同様の有機ＥＬパネルを作成した。
【００９１】
【化１２】
2007266160.tif 000017
【００９２】
得られた素子の特性とバンドギャップを表４に示す。電子輸送層と発光層の電子親和力のギャップが大きくなった結果、発光層への電子注入性が低下して著しく高電圧化していた。また、発光層と電子輸送層のイオン化ポテンシャルのギャップが小さいため電子輸送層にホールが漏れ、発光効率が低下していた。その結果、白色発光させた時のＲＧＢの電圧ばらつきが１Ｖを超えてしまった（最大１．３Ｖ）。
【図面の簡単な説明】
【００９３】
【図１】有機発光素子アレイの有機発光素子のエネルギーダイアグラムである。
【図２】アクティブマトリクス方式の表示装置の駆動手段を示す模式図である。
【図３】ＴＦＴを用いたアクティブ駆動型有機発光素子の一例を示す断面模式図である。
【図１】
2007266160.tif 000018
【図２】
2007266160.tif 000019
【図３】
2007266160.tif 000020